【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
無線ネットワークとの通信用無線周波数トランシーバを備える、一般パケット無線サービスＧＰＲＳ、移動通信用広域システムＧＳＭ／汎用移動体通信システムＵＭＴＳ移動局であって、パケットブロードキャスト制御チャネルＰＢＣＣＨを有するセルでＧＳＭ専用モードで動作する場合、３Ｇセルの報告のために前記無線ネットワークからの情報の受信に応答するコントローラを備え、前記コントローラは、測定情報メッセージから３Ｇ隣接セルリストを受信する前に報告を行うＧＰＲＳ、ＧＳＭ／ＵＭＴＳ移動局。
【請求項２】
前記情報が、前記ＰＢＣＣＨでパケットシステム情報タイプ３ｑｕａｔｅｒメッセージの形で受信される３Ｇ隣接セルリストと、前記パケットシステム情報タイプ３ｑｕａｔｅｒメッセージの形で受信される３Ｇ_ＢＡ_ＩＮＤ情報要素とを含む請求項１に記載のＧＰＲＳ、ＧＳＭ／ＵＭＴＳ移動局。
【請求項３】
３Ｇ_ＷＡＩＴパラメータにより規定される測定情報メッセージの複数のインスタンスを受信する前に前記コントローラが報告を行う請求項１に記載のＧＰＲＳ、ＧＳＭ／ＵＭＴＳ移動局。
【請求項４】
前記受信した３Ｇ_ＢＡ_ＩＮＤ情報要素の値を反映する測定報告メッセージを用いて、前記コントローラが前記３Ｇセルの報告を行う請求項２に記載のＧＰＲＳ、ＧＳＭ／ＵＭＴＳ移動局。
【請求項５】
前記受信した３Ｇ_ＢＡ_ＩＮＤ情報要素の値を反映する拡張測定報告メッセージを用いて、前記コントローラが前記３Ｇセルの報告を行う請求項２に記載のＧＰＲＳ、ＧＳＭ／ＵＭＴＳ移動局。
【請求項６】
前記情報は、前記ＰＢＣＣＨでパケットシステム情報タイプ３ｑｕａｔｅｒメッセージの形で受信される３Ｇ隣接セルリストを含み、さらに、前記ＰＳＩ３_ＣＨＡＮＧＥ_ＭＡＲＫ情報要素のＬＳＢが、ＰＳＩ３_ＣＨＡＮＧＥ_ＭＡＲＫ情報要素のＬＳＢをさらに含み、該ＰＳＩ３_ＣＨＡＮＧＥ_ＭＡＲＫ情報要素のＬＳＢは、３Ｇ_ＢＡ_ＩＮＤ情報要素として前記コントローラによって使用される請求項１に記載のＧＰＲＳ、ＧＳＭ／ＵＭＴＳ移動局。
【請求項７】
前記コントローラは、３Ｇ_ＢＡ_ＩＮＤ情報要素の値を反映する測定報告メッセージを用いて、前記３Ｇセルの報告を行う請求項６に記載のＧＰＲＳ、ＧＳＭ／ＵＭＴＳ移動局。
【請求項８】
前記コントローラは、３Ｇ_ＢＡ_ＩＮＤ情報要素の値を反映する拡張測定報告メッセージを用いて、前記３Ｇセルの報告を行う請求項６に記載のＧＰＲＳ、ＧＳＭ／ＵＭＴＳ移動局。
【請求項９】
一般パケット無線サービスＧＰＲＳ、移動通信用広域システムＧＳＭ／汎用移動体通信システムＵＭＴＳ移動局と共に動作する無線ネットワークであって、前記移動局と通信を行うための無線周波数トランシーバを備え、さらに、共に３Ｇ隣接セルリストの構成に使用する、測定情報メッセージと、システム情報タイプ２ｑｕａｔｅｒ（ＳＩ２ｑｕａｔｅｒ）メッセージを含むブロードキャスト制御チャネル（ＢＣＣＨ）とを、前記トランシーバを介して送信するコントローラを備え、前記コントローラはさらに、前記３Ｇ隣接セルリストの構成に使用されるパケットシステム情報タイプ３ｑｕａｔｅｒメッセージを含むパケットブロードキャスト制御チャネル（ＰＢＣＣＨ）、並びに関連する３Ｇ_ＢＡ_ＩＮＤ情報要素を送信し、前記コントローラは、ＧＳＭ専用モードでの動作時に３Ｇセルについての報告を行う測定報告メッセージ又は拡張測定報告メッセージの前記移動局からの受信に応答し、前記測定報告メッセージまたは拡張測定報告メッセージは、前記移動局が受信した測定情報から完全な３Ｇ隣接セルリストを構成する前に、前記移動局から受信される無線ネットワーク。
【請求項１０】
前記コントローラは、３Ｇ_ＷＡＩＴパラメータにより規定される前記測定情報メッセージの複数のインスタンスを前記移動局が受信する前に、３Ｇセルについての報告を受信する請求項９に記載の無線ネットワーク。
【請求項１１】
前記コントローラが受信した測定報告メッセージは、３Ｇ_ＢＡ_ＩＮＤ情報要素の値を反映する請求項９に記載の無線ネットワーク。
【請求項１２】
一般パケット無線サービスＧＰＲＳ、移動通信用広域システムＧＳＭ／汎用移動体通信システムＵＭＴＳ移動局と共に動作する無線ネットワークであって、前記移動局と通信を行うための無線周波数トランシーバを備え、さらに、共に３Ｇ隣接セルリストの構成に使用する、測定情報メッセージと、システム情報タイプ２ｑｕａｔｅｒ（ＳＩ２ｑｕａｔｅｒ）メッセージを含むブロードキャスト制御チャネル（ＢＣＣＨ）とを、前記トランシーバを介して送信するコントローラを備え、前記コントローラはさらに、前記３Ｇ隣接セルリストの構成に使用するパケットシステム情報タイプの３ｑｕａｔｅｒメッセージを含むパケットブロードキャスト制御チャネル（ＰＢＣＣＨ）を送信し、前記パケットシステム情報タイプの３ｑｕａｔｅｒメッセージは、ＰＳＩ３_ＣＨＡＮＧＥ_ＭＡＲＫ情報要素を含み、前記コントローラは、ＧＳＭ専用モードでの作動時に３Ｇセルの報告を行う測定報告メッセージまたは拡張測定報告メッセージの前記移動局からの受信に応答し、前記移動局が受信した測定情報から完全な３Ｇ隣接セルリストを構成する前に、前記測定報告メッセージまたは拡張測定報告メッセージを前記移動局から受信し、前記ＰＳＩ３_ＣＨＡＮＧＥ_ＭＡＲＫ情報要素のＬＳＢの値が３Ｇ_ＢＡ_ＩＮＤ情報要素として前記コントローラへ報告される無線ネットワーク。
【請求項１３】
パケットブロードキャスト制御チャネル（ＰＢＣＣＨ）を介して無線ネットワークから情報を受信するステップと、
前記受信情報から３Ｇ隣接セルリストを構成するステップと、
ＧＳＭ専用動作モードに入った後、前記無線ネットワークにより送信される測定情報メッセージから３Ｇ隣接セルリストが受信される前に、３Ｇ隣接セルリストを用いて前記無線ネットワークへ３Ｇセルの報告を行うステップと、
を備える一般パケット無線サービスＧＰＲＳ、移動通信用広域システムＧＳＭ／汎用移動体通信システムＵＭＴＳ移動局を動作させる動作方法。
【請求項１４】
前記情報は、前記ＰＢＣＣＨで送信されるパケットシステム情報タイプの３ｑｕａｔｅｒメッセージの中に含まれ、また、３Ｇ_ＢＡ_ＩＮＤ情報要素は、前記パケットシステム情報タイプの３ｑｕａｔｅｒメッセージの形で受信される請求項１３に記載の動作方法。
【請求項１５】
前記報告を行うステップは、３Ｇ_ＷＡＩＴパラメータにより規定される前記測定情報メッセージの複数のインスタンスを前記移動局が受信する前に、行われる請求項１４に記載の動作方法。
【請求項１６】
前記報告を行うステップは、前記受信した３Ｇ_ＢＡ_ＩＮＤ情報要素の値を反映する測定報告メッセージを用いて、前記３Ｇセルについての報告を行う請求項１４に記載の動作方法。
【請求項１７】
前記報告を行うステップは、前記受信済み３Ｇ_ＢＡ_ＩＮＤ情報要素の値を反映する拡張測定報告メッセージを用いて、前記３Ｇセルについての報告を行う請求項１４に記載の動作方法。
【請求項１８】
前記情報は、パケットシステム情報タイプの３ｑｕａｔｅｒメッセージの形で前記ＰＢＣＣＨで受信される３Ｇ隣接セルリストを含み、前記パケットシステム情報タイプの３ｑｕａｔｅｒメッセージの形で受信されるＰＳＩ３_ＣＨＡＮＧＥ_ＭＡＲＫ情報要素のＬＳＢをさらに含み、該ＰＳＩ３_ＣＨＡＮＧＥ_ＭＡＲＫ情報要素のＬＳＢが３Ｇ_ＢＡ_ＩＮＤ情報要素として用いられる請求項１３に記載の動作方法。
【請求項１９】
前記報告を行うステップは、３Ｇ_ＢＡ_ＩＮＤ情報要素の値を反映する測定報告メッセージを用いて、前記３Ｇセルの報告を行う請求項１８に記載の方法。
【請求項２０】
前記報告を行うステップは、３Ｇ_ＢＡ_ＩＮＤ情報要素の値を反映する拡張測定報告メッセージを用いて、前記３Ｇセルについての報告を行う請求項１８に記載の動作方法。
【請求項２１】
無線ネットワークからブロードキャスト情報を受信するように構成された受信機と、
前記受信した情報から３Ｇ隣接セルリストを構成するように構成されたコントローラと、
ＧＳＭ専用動作モードに入った後、前記無線ネットワークによって送信される測定メッセージ中の前記３Ｇ隣接セルリストの受信前に、前記３Ｇ隣接セルリストを用いて前記無線ネットワークに３Ｇセルを報告するように構成された送信機と、
を備える装置。
【請求項２２】
前記装置は、一般パケット無線サービスＧＰＲＳ、移動体通信用広域システムＧＳＭ／汎用移動体通信システムＵＭＴＳで動作するように構成される請求項２１に記載の装置。
【請求項２３】
前記ブロードキャスト情報は、パケットブロードキャスト制御チャネル（ＰＢＣＣＨ）を介して受信される請求項２１に記載の装置。
【請求項２４】
前記測定メッセージは、測定情報メッセージを含む請求項２１に記載の装置。